(57)【特許請求の範囲】
【請求項１】
８条刈りの前処理部を備えたコンバインにおいて、
前記前処理部に、右側４条分の刈取茎稈を左後方の合流部に向けて搬送する右主株元搬送体と、左側４条分の刈取茎稈を右後方の合流部に向けて搬送する左主株元搬送体と、右主株元搬送体の下流部に対向して配置される右副株元搬送体と、左主株元搬送体の下流部に対向して配置される左副株元搬送体と、縦伝動軸から分岐した動力を左右副株元搬送体の駆動軸に伝動する副搬送伝動軸とを備えると共に、
左主株元搬送体の上流部搬送角を、右主株元搬送体の搬送角よりも小さくし、かつ、左主株元搬送体の下流部搬送角を、右主株元搬送体の搬送角よりも大きくし、
右副株元搬送体の駆動軸を副搬送伝動軸よりも後方に配置し、かつ、左副株元搬送体の駆動軸を副搬送伝動軸よりも前方に配置したことを特徴とするコンバインの前処理部構造。
【請求項２】
前記前処理部に、右主株元搬送体の下流部に対向して配置される右副株元搬送体と、左主株元搬送体の下流部に対向して配置される左副株元搬送体と、左右の副株元搬送体に張力を与える一対のタイトローラとを備えると共に、一対のタイトローラを背中合わせで、かつ、前後にずらして配置したことを特徴とする請求項１記載のコンバインの前処理部構造。
【発明の詳細な説明】
【技術分野】
【０００１】
本発明は、８条刈りの前処理部を備えたコンバインの前処理部構造に関する。
【背景技術】
【０００２】
近年、８条刈りの前処理部を備えたコンバインが提案されている（例えば、特許文献１参照）。このような８条刈りの前処理部を新規に開発する場合、開発コストや製造コストを考慮すると、特許文献２に示されるような６条刈りの前処理部をベースとし、左側に２条分を追加する構成が好ましい。例えば、左右一対で構成される主株元搬送体のうち、右側４条分の刈取茎稈を左後方の合流部に向けて搬送する右主株元搬送体は、６条刈りの右主株元搬送体をそのまま流用し、左側４条分の刈取茎稈を右後方の合流部に向けて搬送する左主株元搬送体は、６条刈りの右主株元搬送体を延長して構成する。
【特許文献１】特開平５−２６８８２２号公報
【特許文献２】特開２００７−１７４９５５号公報
【発明の開示】
【発明が解決しようとする課題】
【０００３】
しかしながら、特許文献１に示されるコンバインのように、延長した左主株元搬送体を、右主株元搬送体と略同じ搬送角で左右対称状に配置した場合、右主株元搬送体と左主株元搬送体とのなす角θが大きくなり過ぎ、合流部における刈取茎稈の合流がスムーズに行われない惧れがある。
【課題を解決するための手段】
【０００４】
本発明は、上記の如き実情に鑑みこれらの課題を解決することを目的として創作されたものであって、請求項１の発明は、８条刈りの前処理部を備えたコンバインにおいて、前記前処理部に、右側４条分の刈取茎稈を左後方の合流部に向けて搬送する右主株元搬送体と、左側４条分の刈取茎稈を右後方の合流部に向けて搬送する左主株元搬送体と、右主株元搬送体の下流部に対向して配置される右副株元搬送体と、左主株元搬送体の下流部に対向して配置される左副株元搬送体と、縦伝動軸から分岐した動力を左右副株元搬送体の駆動軸に伝動する副搬送伝動軸とを備えると共に、左主株元搬送体の上流部搬送角を、右主株元搬送体の搬送角よりも小さくし、かつ、左主株元搬送体の下流部搬送角を、右主株元搬送体の搬送角よりも大きくし、右副株元搬送体の駆動軸を副搬送伝動軸よりも後方に配置し、かつ、左副株元搬送体の駆動軸を副搬送伝動軸よりも前方に配置したことを特徴とするコンバインの前処理部構造である。このようにすると、右側４条分の刈取茎稈を左後方の合流部に向けて搬送する右主株元搬送体と、左側４条分の刈取茎稈を右後方の合流部に向けて搬送する左主株元搬送体とを備えた８条刈りの前処理部を構成するにあたり、左主株元搬送体の上流部では、右主株元搬送体よりも小さい搬送角で刈取茎稈を搬送しつつも、左主株元搬送体の下流部では、右主株元搬送体よりも大きい搬送角で刈取茎稈を搬送するので、合流部における右主株元搬送体と左主株元搬送体とのなす角θが大きくなり過ぎることを回避し、左側４条分の刈取茎稈と右側４条分の刈取茎稈をスムーズに合流させることができる。さらに、左右一対の副株元搬送体を備えることにより、左側４条分の刈取茎稈と右側４条分の刈取茎稈をよりスムーズに合流させることができる。しかも、各副株元搬送体の駆動軸を副搬送伝動軸に対して前後にずらして配置したので、左右一対の副株元搬送体を設けても、合流部の左右に十分な搬送スペースを確保することができる。
請求項２の発明は、前記前処理部に、右主株元搬送体の下流部に対向して配置される右副株元搬送体と、左主株元搬送体の下流部に対向して配置される左副株元搬送体と、左右の副株元搬送体に張力を与える一対のタイトローラとを備えると共に、一対のタイトローラを背中合わせで、かつ、前後にずらして配置したことを特徴とする請求項１記載のコンバインの前処理部構造である。このようにすると、一対のタイトローラをコンパクトに配置しつつも、各タイトローラの作動量を十分に確保することができる。
【発明を実施するための最良の形態】
【０００５】
次に、本発明の実施形態について、図面に基づいて説明する。図１〜図３において、１は８条刈りのコンバインであって、該コンバイン１は、茎稈を刈取る前処理部２と、刈り取った茎稈から穀粒を脱穀して選別する脱穀部３と、選別した穀粒を貯留する穀粒タンク４と、脱穀済みの排藁を後処理する後処理部５と、オペレータが乗車する操縦部６と、クローラ式の走行部７とを備えて構成されている。
【０００６】
図４〜図８に示すように、前処理部２は、茎稈を分草するデバイダ８と、茎稈を引き起す引起し装置（タイン）Ａ１〜Ａ８と、茎稈を掻き込む掻込みベルトＢ１〜Ｂ８及びスターホイールＣ１〜Ｃ８と、茎稈の株元を切断する刈刃９と、刈取茎稈の株元を搬送する株元搬送体（チェン）Ｄ１〜Ｄ６と、刈取茎稈の穂先を搬送する穂先搬送体（タイン）Ｅ１〜Ｅ４及び上段穂先搬送体（タイン）Ｆ１、Ｆ２とを備えて構成されている。
【０００７】
株元搬送体Ｄ１〜Ｄ６には、右側４条分の刈取茎稈を左後方の合流部に向けて搬送する右主株元搬送体Ｄ１と、左側４条分の刈取茎稈を右後方の合流部に向けて搬送する左主株元搬送体Ｄ２と、右主株元搬送体Ｄ１の下流部に対向して配置される右副株元搬送体Ｄ３と、左主株元搬送体Ｄ２の下流部に対向して配置される左副株元搬送体Ｄ４と、合流した刈取茎稈を脱穀部３に向けて搬送する主株元搬送体Ｄ５と、始端側又は終端側を支点とする上下揺動にもとづいて扱深さを調節する扱深搬送体Ｄ６とが含まれている。
【０００８】
また、穂先搬送体Ｅ１〜Ｅ４には、右側４条分の刈取茎稈を左後方の合流部に向けて搬送する右主穂先搬送体Ｅ１と、左側４条分の刈取茎稈を右後方の合流部に向けて搬送する左主穂先搬送体Ｅ２と、右主穂先搬送体Ｅ１の下流部に対向して配置される右副穂先搬送体Ｅ３と、左主穂先搬送体Ｅ２の下流部に対向して配置される左副穂先搬送体Ｅ４とが含まれており、さらに、上段穂先搬送体Ｆ１、Ｆ２には、右主穂先搬送体Ｅ１の上流部上方に配置される右上段穂先搬送体Ｆ１と、左主穂先搬送体Ｅ２の上流部上方に配置される左上段穂先搬送体Ｆ２とが含まれている。
【０００９】
図９及び図１０に示すように、前処理部２は、伝動ケース１０〜１３を備えており、これらの伝動ケース１０〜１３に組み込まれる伝動軸を介して、各部に動力が供給されるようになっている。そして、伝動ケース１０〜１３には、機体側から前下方に延出する縦伝動ケース１０と、縦伝動ケース１０の前端部まで伝動された動力を左右方向に振り分ける横伝動ケース１１と、横伝動ケース１１の上方に並列状に配置される引起し伝動ケース１２と、横伝動ケース１１及び引起し伝動ケース１２の左端部同士を連結し、両ケース１１、１２間の動力伝動を行う左伝動ケース１３とが含まれている。尚、左伝動ケース１３と引起し伝動ケース１２の連結部には、引起し装置Ａ１〜Ａ８の動作速度を変速するための引起し変速装置１４が設けられている。
【００１０】
また、図４〜図６に示すように、前処理部２は、縦伝動ケース１０、引起し伝動ケース１２及び左伝動ケース１３に連結されるフレーム体１５を備えている。このフレーム体１５は、主に、主株元搬送体Ｄ５の搬送ガイド１６や、扱深さ制御に用いる穂先センサ１７を取り付けるために設けられている。
【００１１】
本実施形態では、８条刈りの前処理部２を構成するにあたり、６条刈りの前処理部をベースとし、左側に２条分を追加する構成としてある。具体的は、左右一対で構成される主株元搬送体Ｄ１、Ｄ２のうち、右側４条分の刈取茎稈を左後方の合流部に向けて搬送する右主株元搬送体Ｄ１は、６条刈りの右主株元搬送体を流用し（鋳物のケース等多くの部品を流用可能であるが、搬送体の長さを若干変更しているので、同一ではない。）、左側４条分の刈取茎稈を右後方の合流部に向けて搬送する左主株元搬送体Ｄ２は、６条刈りの右主株元搬送体を延長して構成するが、延長した左主株元搬送体Ｄ２を、右主株元搬送体Ｄ１と略同じ搬送角で左右対称状に配置した場合、右主株元搬送体Ｄ１と左主株元搬送体Ｄ２とのなす角θが大きくなり過ぎ、合流部における刈取茎稈の合流がスムーズに行われない惧れがある。
【００１２】
そこで、本実施形態に係る前処理部２では、右側４条分の刈取茎稈を左後方の合流部に向けて搬送する右主株元搬送体Ｄ１と、左側４条分の刈取茎稈を右後方の合流部に向けて搬送する左主株元搬送体Ｄ２とを備えるにあたり、図７に示すように、左主株元搬送体Ｄ２の上流部搬送角θ１を、右主株元搬送体Ｄ１の搬送角θ２よりも小さくし、かつ、左主株元搬送体Ｄ２の下流部搬送角θ３を、右主株元搬送体Ｄ１の搬送角θ２よりも大きくしてある。具体的には、搬送チェンやスプロケットを用いて主株元搬送体Ｄ１、Ｄ２を構成するにあたり、搬送チェンの搬送角θ１〜θ３が上記の条件を満たすように、スプロケットなどの配置を最適化してある。
【００１３】
このようにすると、右側４条分の刈取茎稈を左後方の合流部に向けて搬送する右主株元搬送体Ｄ１と、左側４条分の刈取茎稈を右後方の合流部に向けて搬送する左主株元搬送体Ｄ２とを備えた８条刈りの前処理部２を構成するにあたり、左主株元搬送体Ｄ２の上流部では、右主株元搬送体Ｄ１よりも小さい搬送角θ１で刈取茎稈を搬送しつつも、左主株元搬送体Ｄ２の下流部では、右主株元搬送体Ｄ１よりも大きい搬送角θ３で刈取茎稈を搬送するので、合流部における右主株元搬送体Ｄ１と左主株元搬送体Ｄ２とのなす角θが大きくなり過ぎることを回避し、左側４条分の刈取茎稈と右側４条分の刈取茎稈をスムーズに合流させることができる。
【００１４】
また、本実施形態の前処理部２は、前述したように、右主株元搬送体Ｄ１の下流部に対向して配置される右副株元搬送体Ｄ３と、左主株元搬送体Ｄ２の下流部に対向して配置される左副株元搬送体Ｄ４とを備えている。これにより、左側４条分の刈取茎稈と右側４条分の刈取茎稈をよりスムーズに合流させることが可能であるが、左右一対の副株元搬送体Ｄ３、Ｄ４を設けると、合流部の左右に十分な搬送スペースを確保することが難しくなるという問題がある。
【００１５】
そこで、本実施形態においては、図７〜図１０に示すように、縦伝動軸１８から分岐した動力を、副搬送伝動軸１９を介して左右副株元搬送体Ｄ３、Ｄ４の駆動軸２０、２１に伝動するにあたり、右副株元搬送体Ｄ３の駆動軸２０を副搬送伝動軸１９よりも後方に配置し、かつ、左副株元搬送体Ｄ４の駆動軸２１を副搬送伝動軸１９よりも前方に配置してある。このようにすると、各副株元搬送体Ｄ３、Ｄ４を前後にずらして配置できるので、左右一対の副株元搬送体Ｄ３、Ｄ４を設けても、合流部の左右に十分な搬送スペースを確保することができる。
【００１６】
また、本実施形態の前処理部２は、右主株元搬送体Ｄ１の下流部に対向して配置される右副株元搬送体Ｄ３と、左主株元搬送体Ｄ２の下流部に対向して配置される左副株元搬送体Ｄ４とを備えるにあたり、各副株元搬送体Ｄ３、Ｄ４の搬送チェンに張力を与える一対のタイトローラ２２、２３を設けている。一対のタイトローラ２２、２３は、駆動軸２０、２１の前方に左右方向移動自在に配置され、図示しないバネで外側方へ付勢されることにより、各副株元搬送体Ｄ３、Ｄ４の搬送チェンに張力を与えるが、本実施形態では、一対のタイトローラ２２、２３を背中合わせで、かつ、前後にずらして配置してある。このようにすると、一対のタイトローラ２２、２３をコンパクトに配置しつつも、各タイトローラ２２、２３の作動量を十分に確保することができる。
【００１７】
また、本実施形態では、６条刈りの前処理部をベースとして８条刈りの前処理部２を構成するにあたり、左右一対で構成される主穂先搬送体Ｅ１、Ｅ２のうち、右側４条分の刈取茎稈を左後方の合流部に向けて搬送する右主穂先搬送体Ｅ１は、６条刈りの右主穂先搬送体を流用し（鋳物のケース等多くの部品を流用可能であるが、搬送体の長さを若干変更しているので、同一ではない。）、左側４条分の刈取茎稈を右後方の合流部に向けて搬送する左主穂先搬送体Ｅ２は、６条刈りの右主穂先搬送体を延長して構成するが、左主穂先搬送体Ｅ２を単純に延長して構成した場合、左主穂先搬送体Ｅ２の支持が不十分となり、安定した搬送が困難になる可能性がある。つまり、左主穂先搬送体Ｅ２は、通常、その上流側が前処理部２の左伝動ケース１３で片持ち状に支持されているので、左主穂先搬送体Ｅ２を単純に延長すると、左主穂先搬送体Ｅ２の下流側で支持強度が不足するという問題がある。
【００１８】
そこで、本実施形態の前処理部２は、右側４条分の刈取茎稈を左後方の合流部に向けて搬送する右主穂先搬送体Ｅ１と、左側４条分の刈取茎稈を右後方の合流部に向けて搬送する左主穂先搬送体Ｅ２とを備えるにあたり、図１１〜図１３に示すように、左主穂先搬送体Ｅ２の下流側を、支持部材２４を介して引起し伝動ケース１２で吊持状に支持している。このようにすると、左主穂先搬送体Ｅ２を延長構成するにあたり、左主穂先搬送体Ｅ２の支持強度不足を解消し、安定した搬送を行うことができる。しかも、左主穂先搬送体Ｅ２の下流側を、支持部材２４を介して引起し伝動ケース１２で吊持状に支持するので、支持部材２４と搬送茎稈の干渉も可及的に防止することが可能であるが、さらに本実施形態では、支持部材２４を側面視で逆Ｌ字状に構成しているので、支持部材２４を茎稈搬送経路から退避させ、搬送茎稈との干渉をさらに防止することができる。
【００１９】
尚、本実施形態では、左主株元搬送体Ｄ２、左主穂先搬送体Ｅ２及び左上段穂先搬送体Ｆ２を一体的に連結して左主搬送部を構成しているので、左主株元搬送体Ｄ２や左上段穂先搬送体Ｆ２も、左主穂先搬送体Ｅ２及び支持部材２４を介して引起し伝動ケース１２で支持されることになる。つまり、図１１〜図１３に示すように、左主穂先搬送体Ｅ２は、支持部材２５、２６を介して左主株元搬送体Ｄ２と一体的に連結されると共に、支持部材２７を介して左上段穂先搬送体Ｆ２と一体的に連結されている。そして、左主株元搬送体Ｄ２、左主穂先搬送体Ｅ２及び左上段穂先搬送体Ｆ２の上流部が、それぞれ支持部材２８〜３０を介して左伝動ケース１３に一体的に連結され、左主穂先搬送体Ｅ２の下流部が、支持部材２４を介して引起し伝動ケース１２に一体的に連結される構成となっている。
【００２０】
また、本実施形態では、６条刈りの前処理部をベースとして８条刈りの前処理部２を構成するにあたり、前述したフレーム体１５も、前処理部２の多条化に合わせて左方向に延長するが、フレーム体１５を単純に延長すると、フレーム体１５に取付けられる部材の支持強度が低下し、安定した刈取作業が困難になる可能性がある。具体的には、主株元搬送体Ｄ５の搬送ガイド１６や、扱深さ制御に用いる穂先センサ１７の支持が不安定になり、茎稈搬送や扱深さ制御に対する悪影響が懸念される。
【００２１】
そこで、本実施形態の前処理部２は、図４〜図６に示すように、縦伝動ケース１０、引起し伝動ケース１２及び左伝動ケース１３に連結されるフレーム体１５を備えるにあたり、フレーム体１５は、縦伝動ケース１０と引起し伝動ケース１２を連結する右フレーム部１５ａと、左伝動ケース１３から後方に延出する左フレーム部１５ｂと、右フレーム部１５ａと左フレーム部１５ｂを連結する横フレーム部１５ｃと、左フレーム部１５ｂと横フレーム部１５ｃの連結部周辺から前方に延出して引起し伝動ケース１２に連結される中フレーム部１５ｄとを備えて構成される。
【００２２】
このようにすると、フレーム体１５は、従来からある右フレーム部１５ａ、左フレーム部１５ｂ及び横フレーム部１５ｃに加え、左フレーム部１５ｂと横フレーム部１５ｃの連結部周辺から前方に延出して引起し伝動ケース１２に連結される中フレーム部１５ｄを備えて構成されるので、前処理部２の多条化に合わせて左方向に延長しても、十分な支持強度を確保することができる。これにより、フレーム体１５に取付けられる各種部材を安定に支持し、良好な刈取作業を行うことができる。また、本実施形態では、図６に示すように、右フレーム部１５ａと中フレーム部１５ｄの高さを側面視で略同一としているので、中フレーム部１５ｄの高さを右フレーム部１５ａと同等にし、搬送茎稈との干渉を防止することができる。
【００２３】
尚、本実施形態では、図１４に示すように、フレーム体１５の各フレーム部１５ａ〜１５ｄをそれぞれ別部材で構成し、ボルト及びナットで一体的に連結しているが、各フレーム部１５ａ〜１５ｄは、任意の組み合せで一体形成することができることは言うまでもない。
【００２４】
叙述の如く構成された本実施形態によれば、８条刈りの前処理部２を備えたコンバイン１において、前処理部２に、右側４条分の刈取茎稈を左後方の合流部に向けて搬送する右主株元搬送体Ｄ１と、左側４条分の刈取茎稈を右後方の合流部に向けて搬送する左主株元搬送体Ｄ２とを備えると共に、左主株元搬送体Ｄ１の上流部搬送角θ１を、右主株元搬送体Ｄ１の搬送角θ２よりも小さくし、かつ、左主株元搬送体Ｄ１の下流部搬送角θ３を、右主株元搬送体Ｄ１の搬送角θ２よりも大きくしたので、右側４条分の刈取茎稈を左後方の合流部に向けて搬送する右主株元搬送体Ｄ１と、左側４条分の刈取茎稈を右後方の合流部に向けて搬送する左主株元搬送体Ｄ２とを備えた８条刈りの前処理部２を構成するにあたり、左主株元搬送体Ｄ２の上流部では、右主株元搬送体Ｄ１よりも小さい搬送角θ１で刈取茎稈を搬送しつつも、左主株元搬送体Ｄ２の下流部では、右主株元搬送体Ｄ１よりも大きい搬送角θ３で刈取茎稈を搬送することにより、合流部における右主株元搬送体Ｄ１と左主株元搬送体Ｄ２とのなす角θが大きくなり過ぎることを回避し、左側４条分の刈取茎稈と右側４条分の刈取茎稈をスムーズに合流させることができる。
【００２５】
また、前処理部２に、右主株元搬送体Ｄ１の下流部に対向して配置される右副株元搬送体Ｄ３と、左主株元搬送体Ｄ２の下流部に対向して配置される左副株元搬送体Ｄ４とを備えるので、左側４条分の刈取茎稈と右側４条分の刈取茎稈をよりスムーズに合流させることができる。また、縦伝動軸１８から分岐した動力を左右副株元搬送体Ｄ３、Ｄ４の駆動軸２０、２１に伝動する副搬送伝動軸１９を備えると共に、右副株元搬送体Ｄ３の駆動軸２０を副搬送伝動軸１９よりも後方に配置し、かつ、左副株元搬送体Ｄ４の駆動軸２１を副搬送伝動軸１９よりも前方に配置したので、左右一対の副株元搬送体Ｄ３、Ｄ４を設けても、合流部の左右に十分な搬送スペースを確保することができる。
【００２６】
また、前処理部２に、左右の副株元搬送体Ｄ３、Ｄ４に張力を与える一対のタイトローラ２２、２３を備えると共に、一対のタイトローラ２２、２３を背中合わせで、かつ、前後にずらして配置したので、一対のタイトローラ２２、２３をコンパクトに配置しつつも、各タイトローラ２２、２３の作動量を十分に確保することができる。
【図面の簡単な説明】
【００２７】
【図１】コンバインの左側面図である。
【図２】コンバインの正面図である。
【図３】コンバインの平面図である。
【図４】前処理部の平面図である。
【図５】前処理部の正面図である。
【図６】前処理部の左側面図である。
【図７】前処理部における搬送体の配置構成を示す平面図である。
【図８】前処理部の伝動構成を示す伝動展開図である。
【図９】縦伝動ケース、横伝動ケース及び左伝動ケースを示す正面図である。
【図１０】左伝動ケース及び引起し伝動ケースを示す正面図である。
【図１１】前処理部の左主搬送部を示す右前方斜視図である。
【図１２】前処理部の左主搬送部を示す左後方斜視図である。
【図１３】前処理部の左主搬送部を示す左側面図である。
【図１４】フレーム体の分解斜視図である。
【符号の説明】
【００２８】
１    コンバイン
２    前処理部
１８  縦伝動軸
１９  副搬送伝動軸
２０  駆動軸
２１  駆動軸
２２  タイトローラ
２３  タイトローラ
Ｄ１  右主株元搬送体
Ｄ２  左主株元搬送体
Ｄ３  右副株元搬送体
Ｄ４  左副株元搬送体
θ１  搬送角
θ２  搬送角
θ３  搬送角
【図１】
0005160291.tif 000002
【図２】
0005160291.tif 000003
【図３】
0005160291.tif 000004
【図４】
0005160291.tif 000005
【図５】
0005160291.tif 000006
【図６】
0005160291.tif 000007
【図７】
0005160291.tif 000008
【図８】
0005160291.tif 000009
【図９】
0005160291.tif 000010
【図１０】
0005160291.tif 000011
【図１１】
0005160291.tif 000012
【図１２】
0005160291.tif 000013
【図１３】
0005160291.tif 000014
【図１４】
0005160291.tif 000015